(57)【要約】【課題】女性でも男性でも着用者の頭の大きさや髪形に関係なく着用でき、それによって製作コストを安くできると共に、被り心地が良く、外観上の体裁も良好な日除け付き帽子を提供する。【解決手段】着用者の前頭部から天頂部にわたる部分を覆い、後頭部は覆わないように形成された帽子本体２に前方へ突出するヒサシ３が取り付けられ、このヒサシ３を除く帽子本体２の周縁部５は、後方へ斜め上がりの状態に形成されていて、この後方斜め上がり周縁部５に、可撓性材料よりなる日除け４が帽子本体２から垂れ下がるように取り付けられている日除け付き帽子１。【選択図】図５
2006097209.tif 000002
【特許請求の範囲】
【請求項１】
着用者の前頭部から天頂部にわたる部分を覆い、後頭部は覆わないように形成された帽子本体に前方へ突出するヒサシが取り付けられ、このヒサシを除く帽子本体の周縁部は、後方へ斜め上がりの状態に形成されていて、この後方斜め上がり周縁部に、可撓性材料よりなる日除けが帽子本体から垂れ下がるように取り付けられてなる日除け付き帽子。
【請求項２】
前記日除けは、着用者の後頭部と耳部と首部の左右両側及び後部とを覆う日除け本体部と、この日除け本体部の左右両端部から下方へ一体に延びる一対の帯状部とからなる請求項１に記載の日除け付き帽子。
【請求項３】
前記日除け本体部の内面には着用者の首筋部分に対面する部位に、涼冷媒体を収納するためのポケットが設けられてなる請求項２に記載の日除け付き帽子。
【請求項４】
前記ポケットには、ポケット底の位置を上げ下げ変更するためのポケット底位置変更手段が設けられてなる請求項３に記載の日除け付き帽子。
【請求項５】
前記一対の帯状部の何れか一方の内面には当該帯状部を着用者の首部に巻き付けた時に着用者の顎下の首前部に対面する箇所に、涼冷媒体を収納するためのポケットが設けられてなる請求項２〜４の何れかに記載の日除け付き帽子。
【請求項６】
前記ポケットには、ポケット底の位置を上げ下げ変更するためのポケット底位置変更手段が設けられてなる請求項５に記載の日除け付き帽子。
【請求項７】
前記帽子本体の少なくとも左右両側面部がメッシュ部材により形成されてなる請求項１〜６の何れかに記載の日除け付き帽子。
【請求項８】
前記日除けは、その上端部が帽子本体の周縁部に着脱自在に取り付けられてなる請求項１〜７の何れかに記載の日除け付き帽子。
【発明の詳細な説明】
【技術分野】
【０００１】
本発明は、日除け付き帽子に関するもので、特に着用者の後ろ首筋部分を日差しから遮ることができるようにした帽子に関する。
【背景技術】
【０００２】
従来、麦藁帽子のように日除けのために作られた帽子は、帽子の全周にわたって鍔部、即ちヒサシが設けられているので、炎天下における日除けのためには最適である。一方、ヒサシが前方しか設けられていない野球帽のような帽子は、炎天下における前方からの日差しを遮ることはできるが、後方や側面からの日差しを遮ることができず、日除け帽としては不向きであった。
【０００３】
そこで、前部にヒサシを設けた帽子本体の後側周縁部に、日除けを帽子本体から垂れ下がる状態に取り付けた日除け付き帽子が考えられ、例えば特許文献１に記載されている。この日除け付き帽子によれば、首筋部分を太陽光線から守ることができる。
【特許文献１】特開２００２−２７５７２２号公報
【発明の開示】
【発明が解決しようとする課題】
【０００４】
上記特許文献１に記載された日除け付き帽子を含め、従来の殆どの日除け付き帽子は、帽子本体が、着用者の頭部の上半分を覆うように、即ち前頭部から天頂部及び後頭部にわたる頭部の上半分全体を覆うように略半球状に形成されていることから、着用者の頭の大きさによってサイズが異なる帽子を何種類も作る必要があって、必然的に製作コストが高くなる。また特に女性の場合は、頭の後ろで髪を束ねるなどして後頭部の髪が大きく盛り上がっていることがあり、そうすると頭の大きさは比較的小さいのに、帽子は可なり大きめのものを着用しなければならず、そのために被り心地が悪い上に、外観上の体裁も悪くなる、と云った問題があった。
【０００５】
本発明は、上記の課題に鑑み、１種類の帽子で、女性でも男性でも着用者の頭の大きさや髪形に関係なく着用でき、それによって製作コストを安くできる上、被り心地が良く、外観上の体裁も良好となる日除け付き帽子を提供することを目的とする。
【課題を解決するための手段】
【０００６】
上記課題を解決するための手段を、後述する実施形態の参照符号を付して説明すると、請求項１に係る発明の日除け付き帽子は、着用者の前頭部Ａから天頂部Ｂにわたる部分を覆い、後頭部Ｃは覆わないように形成された帽子本体２に前方へ突出するヒサシ３が取り付けられ、このヒサシ３を除く帽子本体２の周縁部５は、後方へ斜め上がりの状態に形成されていて、この後方斜め上がり周縁部５に、可撓性材料よりなる日除け４が帽子本体２から垂れ下がるように取り付けられてなることを特徴とする。
【０００７】
請求項２は、請求項１に記載の日除け付き帽子において、前記日除け４は、着用者の後頭部Ｃと耳部Ｄと首部Ｅの左右両側及び後部とを覆う日除け本体部７と、この日除け本体部７の左右両端部から下方へ一体に延びる一対の帯状部８，８とからなることを特徴とする。
【０００８】
請求項３は、請求項２に記載の日除け付き帽子において、前記日除け本体部７の内面には着用者の首筋部分に対面する部位に、涼冷媒体１０を収納するためのポケット１１が設けられてなることを特徴とする。
【０００９】
請求項４は、請求項３に記載の日除け付き帽子において、前記ポケット１１には、ポケット底の位置を上げ下げ変更するためのポケット底位置変更手段１６が設けられてなることを特徴とする。
【００１０】
請求項５は、請求項２〜４の何れかに記載の日除け付き帽子において、前記一対の帯状部８，８の何れか一方の内面には当該帯状部８を着用者の首部Ｅに巻き付けた時に着用者の顎下の首前部に対面する箇所に、涼冷媒体１０を収納するためのポケット１２が設けられてなることを特徴とする。
【００１１】
請求項６は、請求項５に記載の日除け付き帽子において、前記ポケット１２には、ポケット底の位置を上げ下げ変更するためのポケット底位置変更手段１７が設けられてなることを特徴とする。
【００１２】
請求項７は、請求項１〜６の何れかに記載の日除け付き帽子において、前記帽子本体２の少なくとも左右両側面部がメッシュ部材６により形成されてなることを特徴とする。
【００１３】
請求項８は、請求項１〜７の何れかに記載の日除け付き帽子において、前記日除け４は、その上端部が帽子本体２の周縁部５に着脱自在に取り付けられてなることを特徴とする。
【発明の効果】
【００１４】
上記解決手段による発明の効果を、後述する実施形態の参照符号を付して説明すると、請求項１に係る発明の日除け付き帽子は、着用者の前頭部Ａから天頂部Ｂにわたる部分を覆い、後頭部Ｃは覆わないように形成された帽子本体２に前方へ突出するヒサシ３が取り付けられ、このヒサシ３を除く帽子本体２の周縁部５が後方へ斜め上がりの状態に形成されていて、この後方斜め上がり周縁部５に日除け４が帽子本体２から垂れ下がるように取り付けられたものであるから、帽子本体２は着用者の前頭部Ａから天頂部Ｂにわたる部分に被せればよく、従って特に女性の場合に、後ろで髪を束ねるなどして後頭部の髪が大きく盛り上がっていても、その盛り上がった部分は日除け４で覆うようにすればよいため、体裁良く、しかも心地よく着用することができる。
【００１５】
しかして、この日除け付き帽子１は、女性でも男性でも、また着用者の頭の大きさや髪形に関係なく着用可能であって、帽子本体２及び日除け４の何れも、夫々ある一定大きさのものを製作すればよいから、１種類の帽子で済むことになり、従って製作コストを従来の日除け付き帽子に比べ大幅に安くすることが可能となる。
【００１６】
請求項２に係る発明によれば、日除け４が、着用者の後頭部Ｃと耳部Ｄと首部Ｅの左右両側及び後部とを覆う日除け本体部７と、この日除け本体部７の左右両端部から下方へ一体に延びる一対の帯状部８，８とからなるため、着用者の後方や側面からの日差しや斜め前方からの日差しは日除け本体部７によって十分に遮ることができ、一対の帯状部８，８は首に巻き付けたり、例えば蝶々結びをすることにより、装飾効果を発揮して、オシャレな外観を呈することができる。
【００１７】
請求項３に係る発明によれば、日除け本体部７の内面の、着用者の首筋部分に対面する部位に、涼冷媒体１０を収納するポケット１１が設けてあるから、このポケット１１に涼冷媒体１０を収納することによって、着用者の後頭部から首筋部分を冷やしてヒンヤリ涼感をもたらし、作業の持続及び熱中病や日射病の予防に大きな効果がある。
【００１８】
請求項４に係る発明によれば、頭や顔の小さい人の場合には、ポケット底位置変更手段１６でポケット１１の底位置を上げ、また頭や顔の小さい人の場合は、ポケット１１の底位置を下げることによって、涼冷媒体１０を首筋部分にうまく位置させることができ、着用者の頭や顔の大きいに対応させることができる。
【００１９】
請求項５に係る発明によれば、何れか一方の帯状部８の内面には当該帯状部８を着用者の首部Ｅに巻き付けた時に着用者の顎下の首前部に対面する箇所に、涼冷媒体１０を収納するポケット１２が設けられているから、このポケット１２に涼冷媒体１０を収納した状態で帯状部８を首部Ｅに巻き付けることにより、着用者の首前部を冷やして涼しくさせることができ、それによって作業をより快適に行うことができる。
【００２０】
請求項６に係る発明によれば、頭や顔の小さい人の場合には、ポケット底位置変更手段１７でポケット１２の底位置を上げ、また頭や顔の大きい人の場合は、ポケット１２の底位置を下げることによって、涼冷媒体１０を顎下の首前部にうまく位置させることができ、着用者の頭や顔の大きいに対応させることができる。
【００２１】
請求項７に係る発明によれば、帽子本体２の少なくとも左右両側面部がメッシュ部材６で形成されているから、着用時に帽子本体２の内部がむれず、被り心地がよくなる。
【００２２】
請求項８に係る発明によれば、日除け４が帽子本体２に対し着脱自在に取り付けられるから、汚れやすい日除け４を帽子本体２から取り外して、簡単容易に洗濯することができる。
【発明を実施するための最良の形態】
【００２３】
以下に本発明の好適実施形態を図面に基づいて説明すると、図１は本発明に係る日除け付き帽子１を示す斜視図、図２は帽子本体２と日除け４とを分離した状態で示す側面図、図３は日除け４を展開した状態の平面図、図３は帽子本体２と日除け４とを分離した状態で示す斜視図である。この日除け付き帽子１は、帽子本体２と、この帽子本体２の前部に取り付けられたヒサシ３と、帽子本体２の後側周縁部に、帽子本体２から垂れ下がる状態に取り付けられた日除け４とからなる。
【００２４】
上記日除け付き帽子１の構造について詳細に説明すれば、帽子本体２は、図２に示すように、着用者の前頭部Ａから天頂部Ｂにわたる部分を覆い、後頭部Ｃは覆わないように、図２の実線で示すような非半球形状に形成され、つまり従来の帽子本体の形状である半球形状から図２の仮想線で示される部分Ｚを切除した形状に形成され、しかしてこの帽子本体２の前部側に前方へ突出するヒサシ３が取り付けられ、このヒサシ３を除く帽子本体２の周縁部５は、図２から分かるように後方へ斜め上がりの状態に形成されていて、この後方斜め上がり周縁部５に日除け４が帽子本体２から垂れ下がるように取り付けられる。
【００２５】
帽子本体２は、左右両側面部を除いて、比較的厚手の布地により形成され、その左右両側面部は夫々通気性の良好なメッシュ部材６によって形成されている。尚、この実施形態では、帽子本体２の左右両側面部のみをメッシュ部材６によって形成しているが、帽子本体２の全部をメッシュ部材６で形成してもよい。
【００２６】
日除け４は、図２及び図３から分かるように、着用者の後頭部Ｃと両側頭部である耳部Ｄと首部Ｅの左右両側及び後部とを十分に覆うことができる大きさの日除け本体部７と、この日除け本体部７の左右両端部から下方へ一体に延びる一対の帯状部８，８とからなるもので、例えばポリエステルと綿との混紡からなる織物布地によって形成される。
【００２７】
尚、図示は省略するが、上記のように布地で形成された日除け４の縁部は、内側に折り曲げられて縁縫いされている。また、日除け本体部７は、外面側が僅かに凸面状に膨らむように、上端部の複数箇所に襞９が付けられている。
【００２８】
図４に示すように、日除け本体部７の内面には着用者の首筋部分に対面する部位に、保冷剤等の涼冷媒体１０を収納するためのポケット１１が設けられ、また一対の帯状部８，８の何れか一方の内面には当該帯状部８を着用者の首部Ｅに巻き付けた時に着用者の顎下の首前部に対面する箇所に、同じく保冷剤等の涼冷媒体１０を収納するためのポケット１２が設けられている。
【００２９】
日除け本体部７側のポケット１１は、図１及び図４から分かるように、矩形状の布片１３を日除け本体部７の内面所要部位に縫い付けて（縫糸をＳ１で示す）、矩形状布片１３の上部側から出し入れできるようにしたもので、涼冷媒体１０を十分深く収納できる大きさに形成されている。また、帯状部８側のポケット１２は、帯状部８の上部側においてこの帯状部８の左右両端縁部どうしを縫い合わせて袋状とし、この袋状部の底辺を縫い付けて（縫糸をＳ２で示す）、前記ポケット１１と同様に上部側から出し入れできるようにしたもので、涼冷媒体１０を十分深く収納できる大きさに形成されている。
【００３０】
また日除け本体部７側のポケット１１には、ポケット底の位置を上げ下げ変更するためのポケット底位置変更手段１６が設けられている。このポケット底位置変更手段１６は、頭や顔の大きい人でも小さい人でも、ポケット１１に収納した涼冷媒体１０がその人の首筋部分にうまく位置するようにするためのもので、ポケット１１の深さを例えば１０ｃｍとすれば、ポケット底から例えば２〜３ｃｍ上がった所にボタン１８を付けることにより、ポケット底の位置を上げ下げできるようにしている。即ち、図４の(b) に示すように、ポケット底（縫糸Ｓ１の位置）から２〜３ｃｍ上方位置で日除け本体部７の内側にボタン１８を横一列状に複数個縫い付けると共に、矩形状布片１３には各ボタン１８と対応する位置にボタン穴１９を設けたもので、同図(b) の仮想線図示のようにボタン１８をボタン穴１９に通すと、ポケット底位置が上がり、ボタン１８をボタン穴１９から外すと、実線図示のようにポケット底位置が下がった状態となる。
【００３１】
従って、頭や顔の小さい人の場合は、図４の(b) の仮想線図示のように、ボタン１８をボタン穴１９に通してポケット１１の底位置を上げた状態で、ポケット１１内に涼冷媒体１０を収納しておくと、帽子１を被った時に、涼冷媒体１０が首筋部分にうまく位置するようになり、また頭や顔が大きい場合には、ボタン１８をボタン穴１９から外してポケット１１の底位置を下げた状態で、涼冷媒体１０を収納すると、帽子１を被った時に涼冷媒体１０が首筋部分にうまく位置するようになる。
【００３２】
帯状部８側のポケット１２にも、上記手段１６と同じ様なポケット底位置変更手段１７が設けられており、このポケット底位置変更手段１７は、図１及び図４に概略示すように、ポケット底（縫糸Ｓ２の位置）から２〜３ｃｍ上方位置で帯状部８の内側にボタン１８を横一列状に複数個縫い付けると共に、各ボタン１８と対応する位置にボタン穴（図示省略）を設けたもので、図示のようにボタン１８をボタン穴に通すと、ポケット底位置が上がり、ボタン１８を外すと、ポケット底位置が下がった状態となる。従って、頭や顔が小さい場合はポケット１２の底位置を上げ、頭や顔が大きい場合はポケット１２の底位置を下げることによって、帽子１を被った時に涼冷媒体１０が顎下の首前部にうまく位置するようになる。
【００３３】
上記ポケット底位置変更手段１６，１７では、横一列状の複数のボタン１８を一段のみ設けて、ポケット底位置を上下の二位置に変更するようにしたが、横一列状の複数のボタン１８を二段に又はそれ以上に設けると、ポケット底位置を上中下の三位置又はそれ以上に変更できる。また、このポケット底位置変更手段１６，１７は、夫々ボタンとボタン穴とによって構成しているが、このようなボタン式に限らず、ホック式に開閉するようにしてもよく、あるいはマジックテープ（登録商標名）よりなる帯状片をポケット１１，１２の内側所要位置に一段又は複数段に取り付けることによって、ポケット底位置を上下複数位置に変更するようにしてもよい。
【００３４】
また日除け４は、帽子本体２に対し着脱自在に取り付けられている。即ち、図２及び図３に示すように、日除け本体部７の外側面にはその上端縁部に沿ってマジックテープ（登録商標名）よりなる係止布１４が取り付けられ、帽子本体２の裏面には後方斜め上がり周縁部５に沿った位置に、同じくマジックテープ（登録商標名）よりなり、上記日除け本体部側の係止布１４に係止可能な係止布１５が取り付けられている。
【００３５】
従って、日除け４を帽子本体２に取り付ける時には、図４に示す状態から日除け本体部７側の係止布１５を帽子本体２側の係止布１４に係止させればよく、図１に示すような取付状態となる。また日除け４を取り外すには日除け本体部７側の係止布１５を帽子本体２側の係止布１４から引き剥がせばよく、図４に示すような状態となる。
【００３６】
また、前記涼冷媒体１０としては、密封包装された市販の保冷剤や蓄冷剤、あるいは家庭用冷蔵庫で作られるような氷塊片等が使用される。保冷剤や蓄冷剤を使用する場合は、これを冷蔵庫の冷凍室で冷凍した後、例えば発泡スチロール製シート等の断熱包装材で包装し、日除け本体部７側のポケット１１及び帯状部８側のポケット１２に収納すればよいし、氷塊片を使用する場合は、この氷塊片を例えばポリエチレンの袋に入れて密封し、これをポケット１１，１２に収容すればよい。
【００３７】
上記のように構成される日除け付き帽子１の使用にあたっては、先ず、帽子本体２に日除け４を取り付け、日除け本体部７側のポケット１１及び帯状部８側のポケット１２に夫々涼冷媒体１０を収納して、図１に示すような状態とする。この状態から、着用者は、帽子本体２及び日除け本体部７を頭から被り、そして図５及び図６に示すように一対の帯状部８，８の一方を首の前部から後部へ回して首に巻き付ける状態で前部側へ引き下ろし、他方の帯状部８は前記一方の帯状部８とは反対方向から首に巻き付けるようにして前部側へ引き下ろす。
【００３８】
この時、図５及び図６から分かるように、一方の帯状部８側のポケット１２に収納された涼冷媒体１０が着用者の顎下の首前部に対面するように位置すると共に、日除け本体部７側のポケット１１に収納された涼冷媒体１０が着用者の首筋部分に対面するように位置し、これによって着用者の顎下の首前部及び首筋部分が冷やされることになる。
【００３９】
このような状態で日除け付き帽子１を着用することによって、例えば真夏の炎天下における、庭等ガーディニングの草むしり作業時、田畑での農作業時、サッカースタジアムや野球場でのスポーツ観戦時、アミューズメントパーク等での遊園時等々には、着用者の後方や側面からの日差しを遮ることができると共に、斜め前方からの日差しも遮ることが可能となり、そしてまた着用者の顎下の首前部及び首筋部分が夫々涼冷媒体１０によって冷やされるから、着用者をヒンヤリと涼しくさせることができ、従って着用者は炎天下でも殆ど汗をかくことなく、上記のような草むしり作業等やスポーツ観戦等を長時間にわたって気持ち良く、快適に行うことができるようになる。
【００４０】
また、上記のように日除け４の日除け本体部７から延びた一対の帯状部８，８を互いに逆向きに首に回すように着用することによって、極めてスマートでオシャレな外観を呈することができるものである。
【００４１】
上記涼冷媒体１０として保冷剤や蓄冷剤を使用する場合、その有効時間は２時間程度であるため、冷蔵庫に複数個の保冷剤や蓄冷剤を予め冷凍保存しておいて、ポケット１１，１２に収容した涼冷媒体１０を適宜に新しい涼冷媒体１０と交換することにより、日除け本体部７側及び帯状部８側での涼冷媒体１０による涼冷効果を長時間維持させることができる。尚、この涼冷媒体１０は、炎天下時などの必要な時のみにポケット１１，１２に収容して使用すればよいものである。
【００４２】
図７は、日除け付き帽子１の他の使用例を示すもので、日除け４の日除け本体部７は、図５及び図６の使用例と同様に着用者の後頭部Ｃと両側頭部である耳部Ｄと首部Ｅの左右両側及び後部とを覆って、本来の日除け機能をもたせたものであるが、一対の帯状部８，８は、互いに結んで装飾効果をもたせるようにした使用例である。両帯状部８，８を結ぶ場合、蝶々結びやリボン結びにすることにより、一層ファッション効果を発揮させることができる。
【００４３】
以上説明したように、この日除け付き帽子１は、帽子本体２が従来の帽子本体とは全く異なる構造であって、着用者の前頭部Ａから天頂部Ｂにわたる部分を覆い、後頭部Ｃは覆わないように形成された帽子本体２に前方へ突出するヒサシ３が取り付けられ、このヒサシ３を除く帽子本体２の周縁部５が後方へ斜め上がりの状態に形成されていて、この後方斜め上がり周縁部５に日除け４が帽子本体２から垂れ下がるように取り付けられたものであるから、帽子本体２は着用者の前頭部Ａから天頂部Ｂにわたる部分に被せればよく、特に女性の場合に、頭の後ろで髪を束ねるなどして後頭部の髪が大きく盛り上がっていても、その盛り上がった部分は日除け４の日除け本体部７で覆うようにすればよいから、体裁良く、しかも心地よく着用することができる。
【００４４】
そしてまた、この日除け付き帽子１は、女性でも男性でも、また着用者の頭の大きさや髪形に関係なく着用可能であって、帽子本体２及び日除け４の何れも、夫々ある一定大きさのものを製作すればよいから、１種類の帽子で済むことになり、従って製作コストを大幅に安くすることができるものである。
【００４５】
また、この日除け付き帽子１は、日除け４が、着用者の後頭部Ｃと耳部Ｄと首部Ｅの左右両側及び後部とを覆う日除け本体部７と、この日除け本体部７の左右両端部から下方へ一体に延びる一対の帯状部８，８とからなるため、着用者の後方や側面からの日差しや斜め前方からの日差しは日除け本体部７によって十分に遮ることができ、そして一対の帯状部８，８は首に巻き付けたり、互いに結び合わせるなどすることにより、装飾効果を発揮して、スマートでオシャレな外観を呈することができる。
【００４６】
また、この日除け付き帽子１では、日除け本体部７の内面の、着用者の首筋部分に対面する部位に、涼冷媒体１０を収納するためのポケット１１が設けられているから、このポケット１１に保冷剤等の涼冷媒体１０を収納することによって、着用者の首筋部分を冷やしてヒンヤリ涼感をもたらし、作業の持続及び熱中病、日射病等の予防に大きな効果がある。また、一対の帯状部８，８のうちの何れか一方の帯状部８の内面には当該帯状部８を着用者の首部Ｅに巻き付けた時に着用者の顎下の首前部に対面する箇所に、涼冷媒体１０を収納するポケット１２が設けられているから、このポケット１２に涼冷媒体１０を収納した状態で帯状部８を首部Ｅに巻き付けることにより、着用者の首前部を冷やして涼しくさせることができ、それによって作業をより一層快適に行うことができる。この場合に、ポケット１１，１２にはポケット底位置変更手段１６，１７が設けてあるから、前述したように着用者の頭や顔の大きいにうまく対応させることが可能となる。
【００４７】
また、帽子本体２の左右両側面部がメッシュ部材６で形成されているから、着用時に帽子本体２の内部がむれず、被り心地がよくなる。尚、帽子本体２の全部をメッシュ部材６によって形成することもでき、そうすれば帽子本体２の通気性が極めて良好で、被り心地が非常に良くなる。
【００４８】
また、この日除け付き帽子１は、日除け４が帽子本体２に対し着脱自在に取り付けられているから、汚れやすい日除け４を帽子本体２から取り外して、簡単容易に洗濯することができる。
【図面の簡単な説明】
【００４９】
【図１】本発明に係る日除け付き帽子を示す斜視図である。
【図２】帽子本体と日除けとを分離した状態で示す側面図である。
【図３】日除けを展開した状態の平面図である。
【図４】(a) は帽子本体と日除けとを分離した状態で示す斜視図、(b) は日除け本体部側のポケットの拡大縦断面図である。
【図５】日除け付き帽子の使用例を示す側面図である。
【図６】同使用例の正面図である。
【図７】日除け付き帽子の他の使用例を示す側面図である。
【符号の説明】
【００５０】
Ａ          着用者の前頭部
Ｂ          着用者の天頂部
Ｃ          着用者の後頭部
１          日除け付き帽子
２          帽子本体
３          ヒサシ
４          日除け
５          帽子本体の後方斜め上がり周縁部
６          メッシュ部材
７          日除けの日除け本体部
８          日除けの帯状部
１０        涼冷媒体
１１，１２  ポケット
１６，１７  ポケット底位置変更手段
１８        ボタン
１９        ボタン穴
【図１】
2006097209.tif 000003
【図２】
2006097209.tif 000004
【図３】
2006097209.tif 000005
【図４】
2006097209.tif 000006
【図５】
2006097209.tif 000007
【図６】
2006097209.tif 000008
【図７】
2006097209.tif 000009